(57)【特許請求の範囲】
【請求項１】
開閉扉に固定される錠前のハンドルケース１と、ハンドルケース１に内装されかつバネ１３でハンドルケース１の外方向に常時付勢された錠把手１０と、この錠把手の筒状部１２に取り外し可能に嵌合するシリンダー錠２５と、このシリンダー錠のオネジ２８に螺着される筒状の抜脱防止片用ストッパー具３０と、前記筒状部１２の前部に形成された貫通孔１８及び前記錠把手１０の筒状部１２の内壁面３６と前記シリンダー錠２５のフラット面２７との間に生ずる間隙３５に脚部４１が差し込まれる抜脱防止片４０と、この抜脱防止片４０の脚部４１が前記抜脱防止片用ストッパー具３０と交差した状態で該抜脱防止片４０を前記筒状部１２に固定する固着具４３とを備え、前記脚部４１には錠把手１０の筒状部１２の内壁面３６と線乃至面接触する圧接部４５が形成されている錠前の錠把手とシリンダー錠との固定構造。
【請求項２】
請求項１において、圧接部４５は山形状に形成されていることを特徴とする錠前の錠把手とシリンダー錠との固定構造。
【請求項３】
開閉扉に固定される錠前のハンドルケース１と、ハンドルケース１に内装されかつバネ１３でハンドルケース１の外方向に常時付勢された錠把手１０Ａと、この錠把手の筒状部１２Ａに取り外し可能に嵌合するシリンダー錠２５Ａと、このシリンダー錠の外筒部５１に該シリンダー錠の軸方向と交差して形成された係合溝４９と、前記筒状部１２Ａの前部に形成された貫通孔１８及び前記錠把手１０Ａの筒状部１２Ａの内壁面３６Ａと前記シリンダー錠２５Ａの係合溝４９との間に生ずる間隙３５Ａに脚部４１Ａが差し込まれる抜脱防止片４０Ａと、この抜脱防止片４０Ａの脚部４１Ａが前記係合溝４９と係合した状態で該抜脱防止片４０Ａを前記筒状部１２Ａに固定する固着具４３とを備え、前記脚部４１Ａには錠把手１０Ａの筒状部１２Ａの内壁面３６Ａと線乃至面接触する圧接部４５Ａが形成されている錠前の錠把手とシリンダー錠との固定構造。
【請求項４】
請求項３に於いて、抜脱防止片４０Ａはコ字型状に形成され、対向する脚部４１Ａ、４１Ａには、錠把手１０Ａの筒状部１２Ａの内壁面３６Ａと線乃至面接触する圧接部４５Ａがそれぞれ形成されていることを特徴とする錠前の錠把手とシリンダー錠との固定構造。
【発明の詳細な説明】
【０００１】
【産業上の利用分野】
本発明は自動販売機やコインロッカーの開閉扉に装着される錠前の錠把手とシリンダー錠との固定構造に関する。
【０００２】
【従来の技術】
従来、自動販売機やコインロッカーの開閉扉に装着される錠前は、基本的には開閉扉に固定される錠前のハンドルケースと、このハンドルケース内に直接又は間接的に嵌合する錠把手と、この錠把手の筒状部に取り外し可能に嵌合するシリンダー錠とから構成され、泥棒に対する盗難防止対策として、錠前の錠把手とシリンダー錠との固定構造が工夫されている。
【０００３】
この固定構造で問題にすべき点は、泥棒が工具を利用して錠把手からシリンダー錠を引き抜こうとしても、容易にシリンダー錠が抜けないことであり、またシリンダー錠のキー穴に細い長板片を差し込み、シリンダー錠を周方向に回そうとしても回転しないことである。
【０００４】
そこで、これらの問題点を解消するために、錠把手の筒状部の前部に形成された半径方向の貫通孔に抜脱防止片としてのコ字型係合具を差し込み、このコ字型係合具を固着具を介して錠把手の筒状部に固定する。
【０００５】
この場合コ字型係合具の係止脚部にシリンダー錠の外壁に形成された係止溝と係合するネジ状係止部を形成している。
【０００６】
しかしながら、上記構成においては、前者の問題点を一応解決することができるとはいうものの、後者の問題点を十分に解決することができない。
【０００７】
【発明が解決しようとする課題】
本発明は以上のような従来の欠点に鑑み、固定構造で問題にすべき２点、すなわち、シリンダー錠が錠把手から容易に抜けないと同時に、錠把手内で周方向に回転しない錠前の錠把手とシリンダー錠との固定構造を得ることである。そこで、本発明の第１の目的は、シリンダー錠のネジ部に一体的に螺着する筒状のストッパー具と錠把手の筒状部に固定される抜脱防止片とが相俟ってシリンダー錠が錠把手から容易に抜けないと同時に、シリンダー錠を周方向に力一杯回そうとしても、前記抜脱防止片が容易に変形しないことである。また第２の目的は、部品点数を少なくしても、１つの部材（抜脱防止片）でシリンダー錠の抜脱防止及び回転防止の両方の効果を得ることができると同時に、シリンダー錠を周方向に力一杯回そうとしても、１つの部材（抜脱防止片）の脚部が容易に変形しないことである。
【０００８】
【課題を解決するための手段】
本発明の錠前の錠把手とシリンダー錠との固定構造は、開閉扉に固定される錠前のハンドルケース１と、ハンドルケース１に内装されかつバネ１３でハンドルケース１の外方向に常時付勢された錠把手１０と、この錠把手の筒状部１２に取り外し可能に嵌合するシリンダー錠２５と、このシリンダー錠のオネジ２８に螺着される筒状の抜脱防止片用ストッパー具３０と、前記筒状部１２の前部に形成された貫通孔１８及び前記錠把手１０の筒状部１２の内壁面３６と前記シリンダー錠２５のフラット面２７との間に生ずる間隙３５に脚部４１が差し込まれる抜脱防止片４０と、この抜脱防止片４０の脚部４１が前記抜脱防止片用ストッパー具３０と交差した状態で該抜脱防止片４０を前記筒状部１２に固定する固着具４３とを備え、前記脚部４１には錠把手１０Ａの筒状部１２の内壁面３６と線乃至面接触する圧接部４５が形成されていることを特徴とする。
【０００９】
また本発明の錠前の錠把手とシリンダー錠との固定構造は、開閉扉に固定される錠前のハンドルケース１と、ハンドルケース１に内装されかつバネ１３でハンドルケース１の外方向に常時付勢された錠把手１０Ａと、この錠把手の筒状部１２Ａに取り外し可能に嵌合するシリンダー錠２５Ａと、このシリンダー錠の外筒部５１に該シリンダー錠の軸方向と交差して形成された係合溝４９と、前記筒状部１２Ａの前部に形成された貫通孔１８及び前記錠把手１０の筒状部１２Ａの内壁面３６Ａと前記シリンダー錠２５Ａの係合溝４９との間に生ずる間隙３５Ａに脚部４１Ａが差し込まれる抜脱防止片４０Ａと、この抜脱防止片４０Ａの脚部４１Ａが前記係合溝４９と係合した状態で該抜脱防止片４０Ａを前記筒状部１２Ａに固定する固着具４３とを備え、前記脚部４１Ａには錠把手１０Ａの筒状部１２Ａの内壁面３６Ａと線乃至面接触する圧接部４５Ａが形成されていることを特徴とする。
【００１０】
【作用】
シリンダー錠が錠把手に組み込まれ、抜脱防止片が固着具を介してシリンダー錠の筒状部に固定されている場合に於いて、例えば泥棒がシリンダー錠のキー孔に細い長板片を差し込み、力の有る限り周方向に回転しようとした時、シリンダー錠側から抜脱防止片の脚部に強力な力が加わる。
【００１１】
しかしながら、間隙に差し込まれた抜脱防止片の脚部と錠把手の筒状部の内壁面とは線ないし面接触の関係にあるので、抜脱防止片の脚部は容易に変形しない。
【００１２】
【実施例】
以下、図面に示す実施例により本発明を詳細に説明する。図１ないし図７は第１実施例である。１は自動販売機、コインロッカーなどの開閉扉に固定される錠前のハンドルケースで、このハンドルケース１は鍔状に形成された嵌合部２と、嵌合部に連設する円筒状部３とから成る。ハンドルケース１の嵌合部は正面側から見るとＴ字型、Ｏ字型等任意の形状に形成され、また前記円筒状部３の後壁には貫通孔４が形成されている。
【００１３】
５はハンドルケース１の円筒状部３に回動可能に内装されるガイド筒である。このガイド筒５の上下部には軸芯方向にガイド切欠部６が形成され、また開口側の周壁部の適宜部位には幅広の係合切欠部７が形成され、さらに後部側の有壁には前記貫通孔４を貫通する係合ボルト８が一体的に設けられている。係合ボルト８には図示しない長板状の係合板がナツト９等の固定具を介して取り付けられ、例えば自動販売機本体側の係合部と間接的に係合する。
【００１４】
１０はハンドルケース１内にガイド筒５を介して摺動可能に嵌合する錠把手で、この錠把手１０はハンドルケース１の嵌合部２に嵌合するややＴ字型状の把手部１１と、この把手部１１に連設する筒状部１２とから成る。錠把手１０もハンドルケース１の嵌合部２の断面形状に対応して任意の断面形状に形成される。
【００１５】
１３は錠把手１０の筒状部１２の後端外側面とガイド筒５の後壁内面との間に介在するバネで、このバネ１３により錠把手１０はハンドルケース１の外方向に常時付勢されいる。なお、特に図示しないが、錠把手の後方部には駆動カムが回動可能に内装され、この駆動カムにはロック片が係合している。
【００１６】
１８は錠把手１０の筒状部１２の前部に所要間隔を有して形成された抜脱防止片用貫通孔である。この抜脱防止片用貫通孔１８は、筒状部１２の半径方向に合計２個づつ対設して形成されているが、本実施例では一方側の貫通孔の１つ（図２を基準にすると左側の上方に位置する貫通孔）は、後述する抜脱防止片の脚部の肉厚を考慮し、他の貫通孔よりも大きめに形成されている。
【００１７】
１９は前記抜脱防止片用貫通孔１８の前後に位置するように筒状部１２の前部外壁に突出形成され、かつ、ガイド筒５の係合切欠部７に係合あるいは嵌合する突起部である。この突起部１９はガイド筒５の係合切欠部７との係合関係を十分に考慮し、筒状部１２の軸芯方向に幅広に形成するのが望ましい。
【００１８】
２０は錠把手１０の筒状部１２の前記突起部１９に形成された抜脱防止片用嵌合支持部で、この嵌合支持部２０は突起部１９よりも肉厚が薄く、その中央部には貫通孔、本実施例では固着具用メネジ孔２１が形成されている。なお、嵌合支持部２０の外壁面はフラット状である。
【００１９】
２２は図２で示すように錠把手１０の筒状部１２の内壁に突出形成され、かつ、後述する抜脱防止片用ストッパー具の被係合部と係合する突条或いは長溝状の係合部である。この係合部２２は、本実施例では筒状部１２の軸芯方向に形成された複数本（合計４個）の突条である。
【００２０】
２５は錠把手１０に取り外し可能に嵌合するシリンダー錠で、このシリンダー錠２５にはキー２６が差し込まれる。シリンダー錠２５の外周壁には、図２及び図４で示すように上下にフラット面２７、２７が形成され、またフラット面２７、２７を除いたその他の部分にはオネジ２８が形成されている。そして、シリンダー錠２５にはキー２６の操作で回動し、かつ、駆動カムの嵌合孔と嵌合する駆動軸２９が設けられている。
【００２１】
３０はシリンダー錠２５の外周壁に装着される抜脱防止片用ストッパー具である。この抜脱防止片用ストッパー具３０は、本実施例では筒状に形成され、シリンダー錠２５に螺着されている。
【００２２】
しかして、抜脱防止片用ストッパー具３０は、図２及び図４で示すように、外周壁に前述した錠把手１０の突条係合部２２と係合する長溝状の被係合部３１を有し、一方、内周壁の適宜箇所に前述したシリンダー錠２５のオネジ２８と螺合するメネジ３２を有する。
【００２３】
４０は錠把手１０の筒状部１２の抜脱防止片用貫通孔１８及びシリンダー錠２５のフラット面２７と錠把手１０の筒状部の内壁面３６との間に生ずる間隙３５に脚部４１がそれぞれ差し込まれるＬ字型又はコ字型の抜脱防止片である。この抜脱防止片４０は、本実施例では図２乃至図４で示すようにコ字型状に形成され、錠把手１０の嵌合支持部２０の外壁面２０ａと面接触の状態で当接する係止部４２と、この係止部４２から直交方向に延設する前記一対の脚部４１、４１とから成る。そして、前記係止部４２の中央部には固着具４３用係止貫通孔４４が形成されている。固着具用の係止貫通孔４４は前述した固着具用メネジ孔２１と符合する。
【００２４】
ところで、抜脱防止片４０は、その脚部４１が前記抜脱防止片用ストッパー具３０と交差した状態で該ストッパー具３０の周端面３３と当接する抜脱防止機能を有するが、本実施例では一方の脚部（図２を基準にすると上方の脚部）４１の厚さは、前記係止部４２よりも厚く、圧接部４５としての変形防止機能を有する。すなわち、抜脱防止片４０の少なくとも一方の脚部４１が山形状の肉厚に形成され、抜脱防止片４０を錠把手１０の貫通孔１８に差し込んだ際に、この肉厚部（圧接部）４５の外壁面４５ａが錠把手１０の筒状部１２の内壁面３６と線乃至面接触する。
【００２５】
上記構成に於いては、まずキー２６を解錠方向に回転し、錠把手１０がバネ１３のバネ力によりガイド切欠部６と係合するガイドピン１４に案内されながらガイド筒５から所定量飛び出す。この場合ガイド筒５が設けられていない実施例に於いては、錠把手１０はハンドルケース１から直接飛び出す。
【００２６】
そこで、シリンダー錠２５を交換しようとする場合は、まず固着具４３を緩めて嵌合支持部２０の固着具用メネジ孔２１から取り外し、次に抜脱防止片４０を錠把手１０の貫通孔１８から引き抜く。その結果、シリンダー錠２５の抜脱防止片用ストッパー具３０は抜脱防止片４０から開放され、キー２６を介してシリンダー錠２５を錠把手１０から引き抜くことができる。この場合抜脱防止片用ストッパー具３０は、図５で示すようにシリンダー錠２５と共に錠把手１０から引き抜かれる。
【００２７】
ところで、シリンダー錠２５が錠把手１０に組み込まれ、抜脱防止片４０が固着具４３を介してシリンダー錠２５の嵌合支持部２０に固定されている場合に於いて、例えば泥棒がシリンダー錠２５のキー孔に細い長板片を差し込み、力の有る限り周方向に回転しようとした時、シリンダー錠２５側から抜脱防止片４０の脚部４１、４１に強力な力が加わる。
【００２８】
しかしながら、間隙３５、３５に差し込まれた抜脱防止片４０の少なくとも一方の脚部４１の肉厚部（圧接部）４５の外壁面４５ａと錠把手１０の筒状部１２の内壁面３６とは線乃至面接触の関係にあるので、抜脱防止片４０の脚部４１は容易に変形しない。
【００２９】
すなわち、シリンダー錠２５のフラット面２７側から抜脱防止片４０の一方の脚部４１に周方向への変形（圧接）力が作用しても、抜脱防止片４０の一方の脚部４１は線ないし面接触の状態で筒状部１２の内壁面３６に圧接する。したがって、少なくとも抜脱防止片４０の一方の脚部４１は外拡変位せず、それ故にシリンダー錠２５は周方向に回転しない。
【００３０】
なお、上記圧接力がストッパー具３０に作用した場合、錠把手１０の筒状部１２の係合部２２と係合関係にあるストッパー具３０自体もシリンダー錠２５の回転を阻止している。またシリンダー錠２５を錠把手１０から引き抜こうとしても、抜脱防止片４０の脚部４１、４１はシリンダー錠２５と一体（螺着）関係にある用ストッパー具３０の周端面３３に当接しているので、シリンダー錠２５を容易に引き抜くことができない。
【００３１】
ところで、抜脱防止片４０の脚部４１の形状はＬ字型又はコ字型でも良い旨を記述したが、抜脱防止片４０の脚部４１の形状がコ字型である場合は、本実施例のように一方の脚部４１（上方か又は下方の脚部）に肉厚部（圧接部）４５を形成しても良いのみならず、対向する両方の脚部４１、４１にもそれぞれ肉厚部  （圧接部）４５を形成しても良い。そして、この肉厚部（圧接部）４５の形態は、山形状、水平状、波状等でも良い。要は肉厚状の脚部４１の外壁面がシリンダー錠２５の筒状部１２の内壁面３６と圧接可能であれば良い。
【００３２】
【異なる実施例】
次に本発明の異なる実施例につき説明する。なお、第１実施例と同一の部分には同一の符号を付し、重複する説明を省略する。
【００３３】
図８乃至図１１に示す本発明の第２実施例に於いて、第１実施例と主に異なる点は、抜脱防止片４０Ａのみでシリンダー錠２５Ａの抜脱防止及び回転防止の両方の効果を得ることができるように構成した点である。その結果、この第２実施例のシリンダー錠２５Ａの形態が第１実施例のシリンダー錠２５のそれとは相違し、必しもフラット面やオネジを有しない反面、抜脱防止片４０Ａの脚部４１Ａ、４１Ａが係合する水平方向の係合溝４９を少なくとも１個有し、係合溝４９と錠把手１０Ａの筒状部１２Ａの内壁面３６Ａとの間には間隙３５Ａが生ずる。
【００３４】
すなわち、シリンダー錠２５Ａの大径の環状部５０と連設する小径の外筒部５１には、シリンダー錠２５Ａの軸方向と交差する方向に一対の係合溝４９、４９が形成され、これらの係合溝４９、４９に前記間隙３５Ａを介し、望ましくは断面コ字型の抜脱防止片４０Ａの脚部４１Ａ、４１Ａが係合している。そして、前記上下の脚部４１Ａ、４１Ａの外壁面側には、錠把手１０Ａの筒状部１２Ａの内壁面３６Ａと圧接する山形状の肉厚部（圧接部）４５Ａがそれぞれ形成されている。なお、この実施例に於いても前記肉厚部（圧接部）４５Ａの形状は山形状、水平状、波状等でも良い。またシリンダー錠２５Ａの外部の形態を便宜上大径の環状部５０と、小径の外筒部５１とに区別しているが、構成上は環状部５０も外筒部５１の一部である。
【００３５】
したがって、この実施例では部品点数が少なくなり（第１実施例のようにシリンダー錠２５Ａと螺着する筒状のストッパ具が不要）、抜脱防止片４０Ａのみでシリンダー錠２５Ａの抜脱防止及び回転防止の両方の効果を得ることができる。
【００３６】
【発明の効果】
以上の説明から明らかなように、本発明にあっては次に列挙するような効果がある。
（１）第１実施例に於いては、シリンダー錠のネジ部に一体的に螺着する抜脱防止片用ストッパー具と錠把手の筒状部に固定される抜脱防止片とが相俟ってシリンダー錠が錠把手から容易に抜けない。
（２）シリンダー錠を周方向に力一杯回そうとしても、前記抜脱防止片が変形しない。すなわち、抜脱防止片４０、４０Ａの脚部４１、４１Ａは肉厚部（圧接部）を有するので、その肉厚部（圧接部）４５、４５Ａが錠把手１０、１０Ａの筒状部１２、１２Ａの内壁面３６、３６Ａと線〜面接触の状態で圧接するので、容易に外拡変位せず、したがって、シリンダー錠２５、２５Ａが回転しない。
（３）第２実施例に於いては、部品点数が少なくなり（第１実施例のようにシリンダー錠２５Ａと螺着する筒状のストッパー具が不要であり）、抜脱防止片４０Ａのみでシリンダー錠２５Ａの抜脱防止及び回転防止の両方の効果を得ることができる。
（４）錠把手１０の筒状部１２の前部に形成された貫通孔１８を有する抜脱防止片嵌合支持部２０の近傍に突起部１９が形成され、一方、この突起部１９が係合する係合切欠部７を開口側の周壁部に有するガイド筒５がハンドルケース１とシリンダー錠との間に介在している実施例に於いては、錠把手１０が軸心方向にスムースに案内されると共に、該錠把手を介して係合ボルト８を有するガイド筒を回転することができる。
【図面の簡単な説明】
図１ないし図７は本発明の第１実施例の各説明図。図８及び図１１は本発明の第２実施例の各説明図。
【図１】第１実施例の錠前の基本的な部材の組合わせを示す説明図。
【図２】図１の２ー２線概略縦断面説明図。
【図３】一部切欠の分解斜視図。
【図４】要部分解斜視図。
【図５】シリンダー錠に抜脱防止片用ストッパー具を螺着した状態の説明図。
【図６】抜脱防止片用ストッパー具と抜脱防止片との関係を示す説明図。
【図７】主要部材の結合関係を示す説明図。
【図８】第２実施例の図３に相当する一部切欠の分解斜視図。
【図９】第２実施例の図２に相当する概略縦断面説明図。
【図１０】要部の分解斜視図。
【図１１】主要部の概略説明図。
【符号の説明】
１…ハンドルケース、５…ガイド筒、１０、１０Ａ…錠把手、
１２、１２Ａ…筒状部、１８…貫通孔、１９…突起部、２０…嵌合支持部、
２５、２５Ａ…シリンダー錠、２７…フラット面、２８…オネジ、
３０…抜脱防止片用ストッパー具、３３…周端面、３５、３５Ａ…間隙、
３６、３６Ａ…内壁面、４０、４０Ａ…抜脱防止片、４１、４１Ａ…脚部、
４３…固着具、４５、４５Ａ…圧接部、４５ａ…（圧接部の）外壁面、
４９…係合溝、５０…環状部、５１…外筒部。
【図１】
0003581741.tif 000002
【図２】
0003581741.tif 000003
【図３】
0003581741.tif 000004
【図４】
0003581741.tif 000005
【図５】
0003581741.tif 000006
【図６】
0003581741.tif 000007
【図７】
0003581741.tif 000008
【図８】
0003581741.tif 000009
【図９】
0003581741.tif 000010
【図１０】
0003581741.tif 000011
【図１１】
0003581741.tif 000012